(57)【要約】【課題】従来技術では、屈折率の異なる透明材料からなる透明薄膜層、誘電体多層膜、あるいは、半透明になる薄い金属反射膜からなる透明反射層に意匠性を付与するために透明なホログラムを積層して使用することになりコストが高く、表示画面が暗くなるという課題があった。【解決手段】入力端末や通信端末等の表示部に貼付して、表示部に表示された表示情報を覗き見から護るための光回折構造を有する透明ラベルであって、同一ラベル内に回折角度が同一で、ピッチが異なる光回折構造が形成された透明ラベルを提供する。【選択図】  図１
2006323052.tif 000002
【特許請求の範囲】
【請求項１】
入力端末や通信端末等の表示部に貼付して、表示部に表示された表示情報を覗き見から護るための光回折構造を有する透明ラベルであって、
同一ラベル内に回折角度が同一で、ピッチが異なる光回折構造が形成されたことを特徴とする光回折構造を有する透明ラベル。
【請求項２】
請求項１に記載の回折構造を有する透明ラベルにおいて、
光回折構造は、回折角度が９０±２５°，格子ピッチが０．５μｍ以上２．０μｍ以下の領域と、回折角度が９０±２５°，格子ピッチが０．４μｍ以下の領域とで構成されたことを特徴とする光回折構造を有する透明ラベル。
【請求項３】
請求項２に記載の回折構造を有する透明ラベルにおいて、
光回折構造の回折角度が９０±２５°，格子ピッチが０．５μｍ以上２．０μｍ以下の領域、および、回折角度が９０±２５°，格子ピッチが０．４μｍ以下の領域の、少なくとも何れかの領域内の回折構造に、一部回折構造が形成されていない領域を設けたことを特徴とする光回折構造を有する透明ラベル。
【発明の詳細な説明】
【技術分野】
【０００１】
本発明は、入力端末や通信端末等の表示部に貼付して、表示部に表示された表示情報を覗き見から護るための光回折構造を有する透明ラベルに関する。
【背景技術】
【０００２】
携帯情報端末，携帯電話，ＰＨＳ，ポケットベル等の表示部は、使用者本人の他に、横に居る者も表示部の表示内容を視ることができ、表示されているメールや、電話番号等が盗み見されてしまうという問題があった。
そこで、これらの表示部に回折角度が適切でない透明ホログラム、もしくは、回折格子が形成されたラベルを貼付して意匠性の向上を狙った商品が在るが、これらのラベルではのぞき見防止の効果は無く、液晶画面視認性が良くない。
また、偏光フィルムを貼付した商品があるが、のぞき見防止機能のみで、意匠性に劣る上に画面全体を暗くするという問題がある。さらに、透明ホログラムと偏光フィルムを貼り合わせた商品が在るが、前述の欠点の他に、貼付物全体が高価なものになっている。
そこで、携帯電話等の表示部に貼り付けるカバーシールとして透明ホログラムを用い、表示部に意匠性、アイキャッチ性を付与させると共に、使用者以外の者によるのぞき見を防止する技術が開示されている。
この技術は、略正面から視ると背後に位置する表示パターンが直通して見え、その略正面に対して斜め方向から視ると、周囲の外光が回折されて記録パターンが見え、背後の表示パターンが実質的に見えないようにした技術である。
このカバーシールに使用される透明なレリーフ型ホログラムは、レリーフ型透明反射ホログラム、または、体積型ホログラムで、ホログラム形成層の凹凸レリーフ面上に、そのレリーフ型ホログラム形成層と屈折率の異なる透明材料からなる透明薄膜層、誘電体多層膜、あるいは、半透明になる薄い金属反射膜からなる透明反射層を設けたものである（例えば、特許文献１参照）。
【０００３】
【特許文献１】特開平１１−１３３２３３号公報
【発明の開示】
【発明が解決しようとする課題】
【０００４】
前述の技術は、屈折率の異なる透明材料からなる透明薄膜層、誘電体多層膜、あるいは、半透明になる薄い金属反射膜からなる透明反射層に意匠性を付与するために透明なホログラムを積層して使用することになりコストが高く、表示画面が暗くなるという課題があった。
【課題を解決するための手段】
【０００５】
前記課題を解決するために、本発明の光回折構造を有する透明ラベルの請求項１に記載の発明は、入力端末や通信端末等の表示部に貼付して、表示部に表示された表示情報を覗き見から護るための光回折構造を有する透明ラベルであって、同一ラベル内に回折角度が同一で、ピッチが異なる光回折構造が形成されたことを特徴とするものである。
【０００６】
また、請求項２に記載の発明は、請求項１に記載の発明において、光回折構造は、回折角度が９０±２５°，格子ピッチが０．５μｍ以上２．０μｍ以下の領域と、回折角度が９０±２５°，格子ピッチが０．４μｍ以下の領域とで構成されたことを特徴とするものである。
【０００７】
また、請求項３に記載の発明は、請求項２に記載の発明において、光回折構造の回折角度が９０±２５°，格子ピッチが０．５μｍ以上２．０μｍ以下の領域および回折角度が９０±２５°，格子ピッチが０．４μｍ以下の領域の、少なくとも何れかの領域内の回折構造に、一部回折構造が形成されていない領域を設けたことを特徴とするものである。
【発明の効果】
【０００８】
１）請求項１に記載のように、入力端末や通信端末等の表示部に貼付して、表示部に表示された表示情報を覗き見から護るための光回折構造を有する透明ラベルであって、同一ラベル内に回折角度が同一で、ピッチが異なる光回折構造が形成されたことによって、表示部を視る角度によって、表示部に表示された情報が見える角度と、光回折構造が回折することにより表示部が見えない角度が存在し、意匠性を保持しながら、表示データを覗き見から護るラベルとして有効に使用することができる。
２）また、請求項２に記載の発明は、請求項１に記載の発明において、光回折構造は、回折角度が９０±２５°で構成されたことによって、格子ピッチが０．５μｍ以上２．０μｍ以下の領域，格子ピッチが０．４μｍ以下の領域いずれの領域も正面から見た時には入力端末や通信端末の表示部に表示された情報は鮮明に判読することができ、左右方向から見た時に、前記格子ピッチが０．４μｍ以下の領域では、特に、二次以降の回折光により端末の表示部に表示された情報は明確に判読することができず、格子ピッチが狭い領域の配置如何によって覗き見防止効果をより高めることができる。
３）また、請求項３に記載の発明は、請求項２に記載の発明において、光回折構造の回折角度が９０±２５°，格子ピッチが０．５μｍ以上２．０μｍ以下の領域および回折角度が９０±２５°，格子ピッチが０．４μｍ以下の領域の、少なくとも何れかの領域内の回折構造に一部回折構造が形成されていない領域を設けたことによって、覗き見防止効果を変えず、正面から見たときの表示情報の解像度を向上させることができる。
【発明を実施するための最良の形態】
【０００９】
以下、図面を参照して、本発明の光回折構造を有する透明ラベルについて説明する。
図１は、本発明の光回折構造を有する透明ラベルについて説明するための図，図２は、図１のＣ−Ｃ線断面図，図３は、携帯通信端末の表示部に貼付された光回折構造を有する透明ラベルについて説明するための図，図４は、本発明の光回折構造を有する透明ラベルによる覗き見防止効果について説明するための図，図５は、図１の領域Ａ、Ｂ何れかの領域の、「回折構造が形成されていない領域」について説明するための図，である。
【００１０】
図１を参照して、本発明の光回折構造を有する透明ラベルについて説明する。
本発明の光回折構造を有する透明ラベル１は、携帯情報端末，携帯電話，ＰＨＳ，ポケットベル等（以下、携帯電話という）の表示部に貼付して、表示部に表示された表示情報を覗き見から護るために使用される。
本発明の光回折構造を有する透明ラベル１は、図１に示すように、ラベル内が領域Ａ，領域Ｂの部分に分かれて形成されている。
本発明の光回折構造は、図柄を伴ったデザインになっていてもよいし、単に縦縞模様のパターンになっていてもよい。
【００１１】
凹凸で情報を記録する光回折構造には、フレネルホログラム，フーリエ変換ホログラム，フランホーファーホログラムなどがあり、また、それらの原理を利用したイメージホログラム，レインボーホログラム，ホログラフィックステレオグラム，ホログラフィック回折格子などがあり、実用されている。
【００１２】
図１の領域Ａ２，領域Ｂ３の部分は、横から覗き見されないように、回折角度が同一で、ピッチが異なる光回折構造が形成されている。
図１に示す形態の場合は、領域Ａ２にはピッチ密度が密な光回折構造によって、また、領域Ｂ３にはピッチ密度が粗な光回折構造によって一つの図柄（パターン）を形成している。
【００１３】
図２を参照して、図１のＣ−Ｃ線断面（光回折構造を有する透明ラベルの断面）について説明する。
光回折構造を有する透明ラベル１の最表面は、光回折構造を摩擦や傷から保護するために透明なプラスチックの保護シート１０で保護されている。
保護シート１０の内側（図の下部）には接着剤層（図示せず）を介して、光回折構造の凹凸を形成するための透明樹脂層１１０が形成され、回折角度が９０±２５°，格子ピッチが０．５μｍ以上２．０μｍ以下で構成された光回折構造３１、および、回折角度が９０±２５°，格子ピッチが０．４μｍ以下の光回折構造２１が形成されている。
これら光回折構造形成層１１の凹凸面（図における下側）には、多くの場合、金属薄膜による透明な反射層１１１が形成される。
【００１４】
光回折構造形成層１１の下部には、透明な粘着剤層１２が形成され、粘着剤塗布面（図における下側）には、剥離紙１３で保護されている。
このような構造を有するラベルシートは、携帯電話の表示部の大きさに合せて剥離紙１４毎、または、貼付部分だけ残して打ち抜かれる。
光回折構造を有する透明ラベルとして使用する場合は、剥離紙を剥がして粘着剤層１２面を露出し、携帯電話の表示部に貼付する。
【００１５】
光回折構造は、薄く金属を蒸着したガラス板に、直径１μｍ程度の電子ビームを照射し、回折角度が９０±２５°で、格子ピッチが０．４μｍ以下の光回折構造２１と、同じ回折角度で格子ピッチが０．５μｍ以上２．０μｍ以下の光回折構造３１の光回折構造を図１でレイアウトした領域配分で形成し、携帯電話の表示部の大きさに合せて作製する。作成したガラス原版を使用して光回折構造の押し型（成型用の型）を作成する。
【００１６】
光回折構造を電子ビームによってパターン状に図柄を作成する方法の他に、被写体にレーザー光線を照射し、物体光と参照光によって図柄を写真乾板に焼付ける通常のレリーフ型ホログラムがある。
このように作製された光回折構造は、公知の方法によって原版が作成され、この原版から複製のための光回折構造の押し型が作成される。
複数の押し型を加熱ロールに巻き付け、透明樹脂が均一に塗布されたフィルム表面に加熱圧接し、複製する。
【００１７】
樹脂の表面に透明な金属薄膜を形成する場合は、真空蒸着法，スパッタリング法，イオンプレーティング法などの一般的薄膜形成手段によって作製する。
透明樹脂の凹凸面に、屈折率の大きな金属薄膜を設けることによって、再生可能な角度範囲内で反射型ホログラムや回折パターンを視認することができる。
【００１８】
市販の粘着剤を光回折構造面（透明な金属薄膜を形成する場合は、金属薄膜面）に塗布し、市販の剥離紙を貼付して光回折構造を有するラベル原反を作製する。
【００１９】
図３を参照して、携帯通信端末の表示部に貼付された光回折構造を有する透明ラベルについて説明する。
図に示すように、光回折構造を有する透明ラベル１が携帯電話の表示部４０に貼付されている。
携帯電話の表示部には、表示情報４０１が表示され、光回折構造を有する透明ラベル１の表面から読取れるようになっている。
光回折構造を有する透明ラベルには、図１で説明したように、左右の領域Ａ２による光回折構造と、中央の領域Ｂ３による光回折構造光回折構造が形成されている。
図３では、左右の領域Ａ２の合計と、領域Ｂ３が面積的に略等しくなっているが、領域Ｂ３の幅を狭くするほど横からの覗き見が困難になる。
【００２０】
図４を参照して本発明の光回折構造を有する透明ラベルによる覗き見防止効果について説明する。
携帯電話の表示部の表示情報４０１を視る時は、通常携帯電話の表示部の真正面であるＤの位置から視る。
携帯電話の表示部の真正面Ｄから発した光は、領域Ｂ３に形成された光回折構造形成層１１の格子の間を通り、情報表示部４００の表示情報４０１に到達し、反射した光は同じ経路を辿って目に帰ってくる。
また、Ｄの位置が平行に移動してＥの位置になったとしても、目から発した光は、領域Ａ２に形成された光回折構造形成層１１の格子の間を通り、表示情報４０１に到達し、反射した光は同じ経路を辿って目に帰ってくるために表示情報を読取ることができる。
【００２１】
一方、Ｅの位置から斜めに発した光は、領域Ｂ３に形成された光回折構造形成層１１の格子の間を通り、表示情報４０１に到達し、一部の光は、同じ経路を辿って目に帰ってくるが極めて僅かな光しか返ってこない。
また、Ｆの位置から斜めに発した光は、領域Ａ２に形成された光回折構造形成層１１の格子の間を通り、光回折構造の凹凸の壁に反射され、図の右側の表示情報４０１に到達するが、到達した光はＦの位置に戻ってくることは無い。
このように、真横からの覗き見に対して表示情報の漏洩を護るためには、光回折構造のドットの並びを横からの視線に対して直角に配置し、さらに、ピッチを狭くすることで最も効果的作用することがわかる。
また、図からわかるように、光の入射角度が小さいほど覗き見が困難になる。
【００２２】
図５を参照して領域Ａ、Ｂ何れかの領域に形成された「回折構造が形成されていない領域」について説明する。
例えば、光回折構造がピッチ「０」で携帯電話の表示部全面に形成された場合は、視認角度によっては、表示情報が見えなくなる。
領域Ｂに形成された光回折構造を単位面積あたり２５％程度間引くと、図５に示す状態になる。
光回折構造が間引かれた光回折構造非形成部１１３０は、単なる透明樹脂層であるために正面から表示情報を素通しに視ることができる。
光回折構造が形成された光回折構造形成部１１３１には、回折角度が９０±２５°で格子ピッチが０．５μｍ以上２．０μｍ以下の光回折構造が形成されている。
光回折構造形成部分の間引きは、光回折構造を形成するドットの形成時に行ってもよいし、形成されたドットを所定単位で間引いてもよい。
【産業上の利用可能性】
【００２３】
携帯情報端末，携帯電話，ＰＨＳ，ポケットベル等の表示部に貼付する透明ラベルに利用できる。
【図面の簡単な説明】
【００２４】
【図１】本発明の光回折構造を有する透明ラベルについて説明するための図である。
【図２】図１のＣ−Ｃ線断面図である。
【図３】携帯通信端末の表示部に貼付された光回折構造を有する透明ラベルについて説明するための図である。
【図４】本発明の光回折構造を有する透明ラベルによる覗き見防止効果について説明するための図である。
【図５】図１の領域Ａ、Ｂ何れかの領域の、「回折構造が形成されていない領域」について説明するための図である。
【符号の説明】
【００２５】
１      光回折構造を有する透明ラベル
２      領域Ａ
３      領域Ｂ
１０    保護シート
１１    光回折構造形成層
１２    粘着剤層
１３    剥離紙
２１    領域Ａに形成された光回折構造
３１    領域Ｂに形成された光回折構造
４０    携帯通信端末の表示部
１１０  透明樹脂層
１１１  透明な反射層
４００  情報表示部
４０１  表示情報
１１３０  光回折構造非形成部
１１３１  光回折構造形成部
【図１】
2006323052.tif 000003
【図２】
2006323052.tif 000004
【図３】
2006323052.tif 000005
【図４】
2006323052.tif 000006
【図５】
2006323052.tif 000007